(57)【要約】【課題】第１のプッシュスイッチをオンさせるために押しボタンを押したときに、クリック感が確実に得られる２段スイッチ装置を提供する。【解決手段】２段スイッチ装置１は、第１のプッシュスイッチ１１と、第２のプッシュスイッチ１２と、レバー４と、押しボタン３と、保持部（ストッパ）２１，２２を備えている。レバー４は、第１のプッシュスイッチ１１のキートップ１１Ｋを押下する第１の突起部４５Ｔ、及び第２のプッシュスイッチ１２のキートップを押下する第２の突起部４６を備えている。押しボタン３は、レバー４の第２の突起部４６よりも第１の突起部４５Ｔに近い当接部４５Ａを押下する。保持部２１，２２は、レバー４を保持する。レバー４は、板状であり、その中心部にコの字形の溝４７に囲まれたヒンジ４５を備えている。ヒンジ４５は、その中間部に当接部４５Ａを備えている。また、ヒンジ４５は、その先端部に第１の突起部４５Ｔを備えている。【選択図】図５
2013045677.tif 000002
【特許請求の範囲】
【請求項１】
第１のプッシュスイッチと、
前記第１のプッシュスイッチに近接して配置される第２のプッシュスイッチと、
前記第１のプッシュスイッチのキートップを押下する第１の突起部、及び前記第２のプッシュスイッチのキートップを押下する第２の突起部を備えたレバーと、
前記レバーの前記第２の突起部よりも前記第１の突起部に近い当接部を押下する押しボタンと、
前記レバーを保持する保持部と、
を備え、
前記レバーは、板状であり、その中心部にコの字形の溝に囲まれたヒンジを備え、
前記ヒンジは、
その中間部に前記当接部を備え、
その先端部に前記第１の突起部を備えた２段スイッチ装置。
【請求項２】
前記レバーは、それぞれ、弾性を有する２つのアームを備え、
前記保持部は、前記押しボタンの周縁に形成され、向かい合って配置された２つのストッパを備え、
前記２つのストッパには、それぞれ、前記アームの先端部を掛止する掛止部と、前記アームの先端部を前記掛止部まで案内する案内溝と、が形成された、請求項１に記載の２段スイッチ装置。
【請求項３】
前記２つのアームは、その先端がドーム型に形成された、請求項２に記載の２段スイッチ装置。
【請求項４】
前記レバーは、前記２つのアームの隣りにそれぞれ掛止片を備え、
前記掛止片は、その先端部が前記案内溝に挿入され、前記第１の突起部が前記第１のプッシュスイッチのキートップを押下するときに、前記案内溝の壁面に当接する、請求項２または３に記載の２段スイッチ装置。
【発明の詳細な説明】
【技術分野】
【０００１】
本発明は、押しボタンの押下量に応じて、２つのプッシュスイッチの一方または両方をオンさせる２段スイッチ装置に関する。
【背景技術】
【０００２】
従来、遠隔制御装置などの携帯電子機器には、操作ボタンを押すことで、複数のプッシュスイッチを順次押し込んで動作させる多段スイッチを備えたものがあった（特許文献１参照。）。例えば、２段スイッチの場合は、第１のプッシュスイッチの押しボタンを押す突出部、及び第２のプッシュスイッチの押しボタンを押す突出部がそれぞれ両端付近に設けられた「てこ」と、２つの突出部の中点よりも一方の突出部に近い位置に設けられた「操作ボタン」と、を備えている。ユーザが最初に操作ボタンを軽く押すと、操作ボタンに近い方の突出部が第１のプッシュスイッチの押しボタンを押し込んで、第１のプッシュスイッチをオンさせる。ユーザがさらに操作ボタンを強く押すと、操作ボタンから離れた方の突出部が第２のプッシュスイッチの押しボタンを押し込んで、第２のプッシュスイッチもオンさせる。
【先行技術文献】
【特許文献】
【０００３】
【特許文献１】実開昭６２−８４１２０号公報
【発明の概要】
【発明が解決しようとする課題】
【０００４】
遠隔制御装置などの携帯電子機器に特許文献１に記載の２段スイッチを設ける場合、てこを浮動状態に配置するために、シーソーのように、てこの中心付近の両側を保持する構成の保持部を設けて、この保持部でてこを保持するのが好ましい。また、てこ自体の強度を高めるために、てこを板状に形成して、第１のプッシュスイッチの押しボタン全体に対向させるのが好ましい。
【０００５】
しかし、このような形状にすると、第１のプッシュスイッチをオンさせるために、操作ボタンを押したときにクリック感が得られない。そのため、ユーザは、第１のプッシュスイッチをオンさせることができたか否かを感触では把握できないという問題があった。
【０００６】
そこで、本発明は、第１のプッシュスイッチをオンさせるために操作ボタンを押したときに、クリック感が確実に得られる２段スイッチ装置を提供することを目的とする。
【課題を解決するための手段】
【０００７】
この発明の２段スイッチ装置は、第１のプッシュスイッチと、第２のプッシュスイッチと、レバーと、押しボタンと、保持部と、を備えている。第２のプッシュスイッチは、第１のプッシュスイッチに近接して配置される。レバーは、第１のプッシュスイッチのキートップを押下する第１の突起部、及び第２のプッシュスイッチのキートップを押下する第２の突起部を備えている。押しボタンは、レバーの第２の突起部よりも前記第１の突起部に近い当接部を押下する。保持部は、レバーを保持する。また、レバーは、板状であり、その中心部にコの字形の溝に囲まれたヒンジを備えている。ヒンジは、その中間部に当接部を備えている。また、ヒンジは、その先端部に第１の突起部を備えている。
【０００８】
レバーを板状に形成し、第１の突起部を当接部の近傍に設け、保持部でレバーを保持する構成の場合、ユーザが押しボタンを押下すると、レバーを介して第１のプッシュスイッチのキートップが押下される。このとき、レバーの当接部から第１の当接部までの距離が短いと、押しボタンを押下したときのレバー全体のたわみ量が小さくなる。そのため、第１のプッシュスイッチをオンさせるために押しボタンを押しても、レバーはほとんど振動せず、キートップを押下したときの振動（クリック感）が押しボタンに伝わりにくく、ユーザはクリック感をほとんど感じない。
【０００９】
この発明では、上記のような構成のレバーに対して、レバーの中心部にコの字形の溝に囲まれたヒンジを設けている。また、ユーザが押しボタンを押下するとヒンジの中間部に当接し、ヒンジが押しボタンに押下されて屈曲し、ヒンジの先端の突起部が第１のプッシュスイッチのキートップを押下するように構成する。ヒンジは、コの字状の溝に囲まれているので、押しボタンが押下されると、ヒンジのたわみ量が大きくなる。そのため、ヒンジの先端の突起部がキートップを押下したときの振動がヒンジに伝わると、ヒンジが振動し、さらに、ヒンジを押下している押しボタンに振動が伝わって、押しボタンが振動する。つまり、第１のプッシュスイッチのキートップを押下したときのクリック感（振動）は、キートップからヒンジを介して押しボタンに伝わる。したがって、ユーザは、第１のプッシュスイッチをオンさせるために２段スイッチ装置の押しボタンを押すと、クリック感を感じることができ、第１のプッシュスイッチをオンさせることができたことを感触で把握できる。また、ヒンジは、第三種てことして機能するので、押しボタンが強い力で押下されたとしても、その力よりも弱い力でプッシュスイッチのキートップが押下される。したがって、プッシュスイッチのキートップに加わる力が軽減され、プッシュスイッチの寿命を延ばすことができる。
【００１０】
上記発明において、レバーは、それぞれ、弾性を有する２つのアームを備えている。保持部は、押しボタンの周縁に形成され、向かい合って配置された２つのストッパを備えている。２つのストッパには、それぞれ、アームの先端部を掛止する掛止部と、アームの先端部を掛止部まで案内する案内溝と、が形成されている。
【００１１】
本発明では、押しボタンの周縁に形成したストッパにレバーのアームを取り付けるので、例えば、２段スイッチを密集させて設けたために部品の間隔が狭くなっても、レバーを容易に取り付けることができる。また、レバーのアームの先端部を、ストッパに形成した案内溝を通過させて掛止部に掛止させるので、アームの先端部を掛止部に直接取り付ける場合と比較して、容易に取り付けることができる。
【００１２】
上記発明において、２つのアームの先端がドーム型に形成されている。
【００１３】
この構成では、アームの先端部を案内溝に挿入する際に、ドーム型の先端部が案内溝の壁面に当接すると、壁面上を滑るので、アームの先端を容易に掛止部に挿入できる。したがって、例えば、２段スイッチを密集させて設けたために部品の間隔が狭くなっても、レバーを容易に取り付けることができる。また、アームの先端部を掛止部に挿入後に、押しボタンを押下したときに、ドーム型の先端部が掛止部に当接しながら滑るので、レバーをスムーズに移動させることができる。
【００１４】
上記発明において、レバーは、２つのアームの隣りにそれぞれ掛止片を備えている。掛止片は、その先端部が案内溝に挿入され、第１の突起部が第１のプッシュスイッチのキートップを押下するときに、案内溝の壁面に当接する。
【００１５】
この発明では、第１のプッシュスイッチのキートップを押下するときに、掛止片が案内溝の壁面に当接する。そのため、押しボタンが押下されたときに、キートップに加わる力を抑制することができ、プッシュスイッチのキートップが強い力で押下されて劣化するのを防止できる。
【発明の効果】
【００１６】
この発明によれば、第１のプッシュスイッチをオンさせるために操作ボタンを押したときに、クリック感が確実に得られる。
【図面の簡単な説明】
【００１７】
【図１】本発明の実施形態に係る２段スイッチ装置を適用した遠隔制御装置の斜視外観図である。
【図２】（Ａ）は、図１に示す２段スイッチ装置のＡ−Ａ矢視断面図である。（Ｂ）は、図１に示す２段スイッチ装置のＢ−Ｂ矢視断面図である。
【図３】（Ａ）は、レバーの、キートップを押下する面を示す平面図である。（Ｂ）は、レバーの、キートップを押下する面側の斜視図である。（Ｃ）は、レバーの、押しボタンに押下される面側の斜視図である。
【図４】レバーの取り付け方法を説明するための図である。（Ａ）は、第１のストッパにレバーを取り付ける位置を示す斜視図である。（Ｂ）は、第２のストッパの形状を示す斜視図である。（Ｃ）は、第１のストッパにレバーを取り付けた状態を示す正面図である。（Ｄ）は、第１のストッパと第２のストッパにレバーを取り付けた状態を示す正面図である。（Ｅ）は、第１のストッパと第２のストッパにレバーを取り付けた状態を示す斜視図である。
【図５】隣接する２つの２段スイッチにおいてレバーの取り付け方法を説明するための図である。（Ａ）は、第１のストッパにレバーを取り付ける位置を示す斜視図である。（Ｂ）は、第１のストッパにレバーを取り付けた状態を示す正面図である。（Ｃ）は、第１のストッパと第２のストッパにレバーを取り付けた状態を示す正面図である。
【図６】（Ａ），（Ｄ），（Ｇ）は、図１に示す２段スイッチ装置のＢ−Ｂ矢視断面図において、一方の２段スイッチのみを示した図である。（Ｂ），（Ｅ）は、図１に示す２段スイッチ装置のＣ−Ｃ矢視断面図である。（Ｃ），（Ｆ）は、図１に示す２段スイッチ装置のＤ−Ｄ矢視断面図である。また、（Ａ）〜（Ｃ）は、押しボタンを押下していない状態を示す。（Ｄ）〜（Ｆ）は、押しボタンを押下して、１つのプッシュスイッチのキートップを押下した状態を示す。（Ｇ）は、押しボタンを押下して、２つのプッシュスイッチのキートップを押下した状態を示す。
【図７】第１のストッパと第２のストッパにレバーを取り付けた状態を示す正面図である。（Ａ）は、１つのプッシュスイッチを押下するときの、支点、力点、及び作用点を説明するための図である。（Ｂ）は、２つ目のプッシュスイッチを押下するときの、支点、力点、及び作用点を説明するための図である。（Ｃ）は、レバーの中心線上に突起部を設けた場合に、２つ目のプッシュスイッチを押下するときの、支点、力点、及び作用点を説明するための図である。（Ｄ）は、（Ｂ）に示した突起部と、（Ｃ）に示した突起部と、を重ねた図である。
【発明を実施するための形態】
【００１８】
図１に示すように、本発明の２段スイッチ装置は、例えば、携帯電子機器の一例である遠隔制御装置（テレコン装置）１０１に用いることができる。遠隔制御装置１０１は、複数の押しボタンのいずれかを押下して、ホイスト式クレーンやタワークレーンなどの制御対象機器を無線で遠隔操作する装置である。
【００１９】
遠隔制御装置１０１は、筐体２の表面（操作面）に複数の押しボタン１１１〜１２２を備えている。このうち押しボタン１１４〜１１９が、本発明の２段スイッチ装置により構成されている。
【００２０】
２段スイッチ装置は、押しボタンの押下量に応じて１つまたは２つのプッシュスイッチのキートップを押下する機構を備えている。図２（Ａ）には、２つのプッシュスイッチ１１，１２を押下する２段スイッチ装置１を示している。
【００２１】
図２（Ａ）に示すように、２段スイッチ装置１は、筐体２に取り付けられた押しボタン３、レバー４、第１のプッシュスイッチ１１、及び第２のプッシュスイッチ１２を備えている。
【００２２】
第２のプッシュスイッチ１２は、第１のプッシュスイッチ１１に近接して配置されている。
【００２３】
筐体２は、プリント基板１０に取り付けられたプッシュスイッチ１１，１２の各キートップ１１Ｋ，１２Ｋに対向して配置されている。
【００２４】
押しボタン３は、筐体２に形成された円形の孔２Ｈに、弾性体であるエラストマー２Ｅを介して取り付けられている。押しボタン３の先端部は、レバー４に当接している。押しボタン３は、レバー４を介してプッシュスイッチ１１，１２のキートップ１１Ｋ，１２Ｋを押下するためのボタンである。
【００２５】
レバー４は、押しボタン３と２つのプッシュスイッチ１１，１２との間に配置されている。レバー４は、押しボタン３が押下されると、押しボタン３とともに移動し、押しボタン３の押下量に応じて第１のプッシュスイッチ１１のキートップ１１Ｋを押下するか、または第１のプッシュスイッチ１１のキートップ１１Ｋと、第２のプッシュスイッチ１２のキートップ１２Ｋと、を押下する。
【００２６】
図１に示した遠隔制御装置１０１では、押しボタン１１６と押しボタン１１９が、それぞれ、図２（Ａ）に示した２段スイッチ装置１により構成されている。
【００２７】
次に、２段スイッチ装置１Ｂは、２つの２段スイッチが第２のプッシュスイッチを共用する構成であり、同時に押すことがなく近接した２つの２段スイッチに適用できる。遠隔制御装置１０１では、押しボタン１１４，１１５と、押しボタン１１７，１１８と、が２段スイッチ装置１Ｂにより構成されている。
【００２８】
２段スイッチ装置１Ｂでは、上記のように２つの２段スイッチが第２のプッシュスイッチを共用する構成なので、使用するプッシュスイッチの占有面積を減らして２段スイッチを小型化することができ、複数の２段スイッチ装置を密集させることができる。
【００２９】
図２（Ｂ）に示すように、２段スイッチ装置１Ｂは、図２（Ａ）に示した２段スイッチ装置１の構成に加えて、押しボタン３Ｂ、レバー４Ｂ、及び第３のプッシュスイッチ１１Ｂを備えている。
【００３０】
第２のプッシュスイッチ１２は、第１のプッシュスイッチ１１に近接して配置される。第３のプッシュスイッチ１１Ｂは、第２のプッシュスイッチ１２に近接して配置される。
【００３１】
図３（Ａ）、図３（Ｂ）に示すように、レバー４は矩形の板状であり、周囲にアーム４１，４３、掛止片４２，４４、及び突起部４６が形成されている。
【００３２】
具体的には、図３（Ａ）に示すように、レバー４の中心線ＣＬと直交する直線（第１の直線）ＳＬ１に沿って延出し、中心線ＣＬに対して線対称に２つのアーム４１とアーム４３が設けられている。アーム４１とアーム４３は弾性を有しており、階段状に湾曲している。アーム４１の先端部４１Ｄとアーム４３の先端部４３Ｄは、それぞれ矩形状の板面と垂直な方向を向き、ドーム型に形成されている。
【００３３】
掛止片４２，４４は、２つのアーム４１，４３の中点４Ｓに対して点対称に形成されている。すなわち、掛止片４２は、中点４Ｓに対してアーム４１を時計回りに回転させた位置に設けられている。また、掛止片４４は、中点４Ｓに対してアーム４３を時計回りに回転させた位置に設けられている。
【００３４】
突起部４６は、第２の突起部または第３の突起部に相当し、レバー４の中心線ＣＬの右側に設けた、中心線ＣＬと平行な直線ＳＬ２上であって、直線ＳＬ１から距離Ｌ１離れた位置に形成されている。突起部４６を設けている位置は、中点４Ｓに対して中心線ＣＬを時計回りに回転させた位置と言える。
【００３５】
このように、アーム４１（４３）に対する掛止片４２（４４）の位置関係が、レバー４の中心線ＣＬに対する突起部４６の位置関係と同様である。
【００３６】
レバー４の中心部には、コの字状の溝４７に囲まれ、レバー４との接続部４５Ｎから延出するヒンジ４５が形成されている。ヒンジ４５の先端には、突起部４５Ｔが形成されている。突起部４５Ｔは、第１の突起部または第４の突起部に相当する。図３（Ｃ）に示すように、ヒンジ４５の中間部には、周囲よりも隆起した当接部４５Ａを備えている。当接部４５Ａには、図２（Ａ），図２（Ｂ）に示したように、押しボタン３の先端部が当接する。
【００３７】
すなわち、第１の押しボタン３は、第１のレバー４の第２の突起部４６よりも第１の突起部４５Ｔに近い部分である第１の当接部４５Ａを押下する。第２の押しボタン３Ｂは、第２のレバー４Ｂの第３の突起部４６Ｂよりも第４の突起部４５ＢＴに近い部分である第２の当接部４５ＢＡを押下する。
【００３８】
２段スイッチ装置１または２段スイッチ装置１Ｂにおいて、レバー４の取り付けは、以下のようにする。
【００３９】
図４（Ａ）に示すように、筐体２には、押しボタン３の周縁（孔２Ｈの周縁）に、レバー４の保持部である２つのストッパ２１，２２が形成されている。２つのストッパ２１，２２は、向かい合って配置された対向面２１Ｍと対向面２２Ｍをそれぞれ有している。対向面２１Ｍには、Ｌ字溝２１０が形成されている。Ｌ字溝２１０は、ストッパ２１の側縁に形成された開口部２１１Ｋから、押しボタン３が押下される押下方向３Ｐと直交する方向に延びる案内溝である横溝２１１と、横溝２１１の終端側から押しボタン３の押下方向３Ｐの方向に延びる掛止部である縦溝２１２と、を有する。押しボタン３の中央部（先端部）には、ヒンジ４５の当接部４５Ａを押下する突起部３Ｔが形成されている。
【００４０】
レバー４において、アーム４１，４３の端部の厚みｔ１は、横溝２１１，２２１の幅Ｗ１よりも小さい。また、掛止片４２，４４の端部の厚みｔ２は、横溝２１１，２２１の幅Ｗ１よりも小さい。また、アーム４１の先端部４１Ｄは、掛止片４２の一方の面４２Ｍよりも突出し、アーム４３の先端部４３Ｄは、掛止片４４の一方の面４４Ｍよりも突出している。このような構成にすることで、後述するように、レバー４をストッパ２１，２２のＬ字溝２１０，２２０に容易に取り付けることができる。
【００４１】
図４（Ｂ）に示すように、ストッパ２２の対向面２２Ｍには、Ｌ字溝２２０が形成されている。Ｌ字溝２２０は、ストッパ２２の側縁に形成された開口部２２１Ｋから、押しボタン３が押下される押下方向３Ｐと直交する方向に延びる案内溝である横溝２２１と、横溝２２１の終端側から押しボタン３の押下方向３Ｐの方向に延びる掛止部である縦溝２２２と、を有する。
【００４２】
Ｌ字溝２１０とＬ字溝２２０は、押しボタン３の中心点３Ｃに対して点対称に形成されている。すなわち、図４（Ｄ）に示すように、Ｌ字溝２１０では、押しボタン３の中心点３Ｃに対して縦溝２１２を時計回りに回転させた位置に横溝２１１が形成されている。また、Ｌ字溝２２０では、中心点３Ｃに対して縦溝２２２を時計回りに回転させた位置に横溝２２１が形成されている。
【００４３】
また、突起部４６は、中点４Ｓに対して中心線ＣＬを時計回りに回転させた位置に設けていると言える。したがって、中心線ＣＬに対する突起部４６の位置関係は、Ｌ字溝２１０（２２０）の縦溝２１２（２２２）に対する横溝２１１（２２１）の位置関係と同様である。
【００４４】
上記のように、Ｌ字溝２１０とＬ字溝２２０は点対称に形成されているので、レバー４は、押しボタン３に対向させ、回転させてストッパ２１，２２に取り付ける。すなわち、図４（Ｃ）に示すように、レバー４を傾けた状態で押しボタン３に対向させ、ストッパ２１のＬ字溝２１０にアーム４１と掛止片４２を挿入する。具体的には、アーム４１をＬ字溝２１０の縦溝２１２に挿入し、掛止片４２をＬ字溝２１０の横溝２１１に挿入する。続いて、図４（Ｄ）に示すように、レバー４を反時計回りに回転させながらストッパ２２のＬ字溝２２０に、レバー４のアーム４３と掛止片４４を挿入する。具体的には、アーム４３をＬ字溝２２０の縦溝２２２に挿入し、掛止片４４をＬ字溝２２０の横溝２２１に挿入する。２つの横溝２１１，２２１には、それぞれ開口部２１１Ｋ，２２１Ｋが設けられているので、これら開口部からアームや掛止片を挿入することができ、レバー４を容易に取り付けることができる。
【００４５】
アーム４１，４３の先端部４１Ｄ、４３Ｄは、前記のようにドーム型に形成されているので、アームの先端部をＬ字溝に挿入する際に、先端部を滑らせながらＬ字溝に挿入することができる。したがって、レバー４を容易に取り付けることができる。
【００４６】
なお、レバー４を取り付ける際には、先に一方のＬ字溝にアームと掛止片を挿入せずに、レバー４を回転させながら、２つのＬ字溝に同時にアームと掛止片を挿入させて、取り付けることも可能である。
【００４７】
図４（Ｄ）と図４（Ｅ）に示すように、レバー４をストッパ２１とストッパ２２に取り付けた状態では、アーム４１の先端部４１Ｄは、縦溝２１２の終端に当接し、アーム４３の先端部４３Ｄは、縦溝２２２の終端に当接する。これにより、レバー４は、押しボタン３により押下されても、簡単には外れない構成となっている。
【００４８】
２段スイッチ装置１Ｂの他方の２段スイッチにおいて、レバー４Ｂの取り付けは、以下のようにする。
【００４９】
図５（Ａ）に示すように、ストッパ２１Ｂに形成したＬ字溝２１０Ｂにレバー４Ｂのアーム４１Ｂと掛止片４２Ｂを挿入する。そして、図５（Ｂ）に示すように、レバー４Ｂを反時計回りに回転させながらストッパ２２ＢのＬ字溝２２０Ｂ（案内溝と掛止部に相当）に、レバー４Ｂのアーム４３Ｂと掛止片４４Ｂを挿入する。
【００５０】
このとき、中心線ＣＬＢに対する突起部４６Ｂの位置関係は、Ｌ字溝２１０Ｂ（２２０Ｂ）の縦溝２１２Ｂ（２２２Ｂ）に対する横溝２１１Ｂ（２２１Ｂ）の位置関係と同様であり、レバー４Ｂを反時計回りに回転させながら取り付ける。そのため、突起部４６Ｂが突起部４６に当たることなく、レバー４Ｂをストッパ２１Ｂ，２２Ｂに取り付けることができる。
【００５１】
これにより、図５（Ｃ）に示すように、隣接する２つの押しボタンに対してそれぞれレバー４とレバー４Ｂを取り付けることができる。
【００５２】
このように、レバー４は、ストッパ２１，２２に、容易に取り付けることができる。また、ストッパ２１，２２に取り付けたレバー４は、取り付ける場合とは逆に、時計回りに回転させることで、容易に取り外すことができる。レバー４Ｂも同様である。
【００５３】
図５（Ｃ）に点線で示すように、２段スイッチ装置１Ｂは、レバー４を取り付けた状態では、第１のレバー４におけるヒンジ４５の第１の突起部４５Ｔが第１のプッシュスイッチ１１のキートップ１１Ｋを押下するように対向して配置される。レバー４Ｂを取り付けた状態では、第２のレバー４Ｂにおけるヒンジ４５Ｂの第４の突起部４５ＢＴが第３のプッシュスイッチ１１Ｂのキートップ１１ＢＫを押下するように対向して配置される。
【００５４】
また、第１のレバー４と、第２のレバー４Ｂと、は、第２のプッシュスイッチであるプッシュスイッチ１２のキートップ上で重ならない形状に形成されている。すなわち、第１のレバー４の中心線ＣＬが第２のレバー４Ｂの中心線ＣＬＢと重なり、第２の突起部４６と第３の突起部４６Ｂが、第２のプッシュスイッチのキートップ１２Ｋを共に押下できるように、キートップ１２Ｋに対向して配置されている。そのため、前記のように、２つの２段スイッチ装置で押下するプッシュスイッチ１２を共用できる。これにより、２つの２段スイッチ装置を密集して設けることができ、また部品点数を削減できる。
【００５５】
なお、図示していないが、プッシュスイッチ１２のキートップ１２Ｋを押下するように、さらに複数のレバーを配置することも可能である。例えば、図５（Ｃ）において、キートップ１２Ｋの上側と下側に、さらに２つのレバーを追加して、キートップ１２Ｋに対して４つのレバーを十字形に配置し、４つのレバーの各突起部がプッシュスイッチ１２のキートップ１２Ｋを押下するように対向して配置することが可能である。この場合、４つの２段スイッチ装置で、１つの第２のプッシュスイッチ１２を共用することができ、４つの２段スイッチ装置を密集して設けることができる。また、部品点数を削減できる。
【００５６】
次に、２段スイッチ装置１Ｂにおいて、押しボタン３を押し下げたときの各部の状態を説明する。
【００５７】
図６（Ａ）に示すように、押しボタン３が押下されていない状態では、押しボタン３の突起部３Ｔが当接部４５Ａに当接している。
【００５８】
このとき、図６（Ｂ）に示すように、アーム４１の先端部４１Ｄは、ストッパ２１に形成されたＬ字溝２１０の縦溝２１２の終端に当接し、アーム４３の先端部４２Ｄがストッパ２２に形成されたＬ字溝２２０の縦溝２２２の終端に当接している。また、図６（Ｃ）に示すように、掛止片４２，４４は、Ｌ字溝２１０，２２０に挿入されており、掛止片４２，４４の押しボタン３と対向する面の端部が、それぞれＬ字溝２１０，２２０の横溝２１１，２２１の上面（壁面）に当接している。
【００５９】
このように、レバー４は、押しボタン３とストッパ２１，２２に保持されている。
【００６０】
図６（Ｄ）に示すように、押しボタン３が第１の深さＤ１まで押下されると、押しボタン３の突起部３Ｔがヒンジ４５の当接部４５Ａを押下する。ヒンジ４５は、押しボタン３に押下されると、押しボタン３とともに移動し、プッシュスイッチ１１のキートップ１１Ｋを突起部４５Ｔで押下し、プッシュスイッチ１１をオン状態にする。
【００６１】
このとき、図６（Ｅ）に示すように、押しボタン３の突起部３Ｔがヒンジ４５を押下したときには、アーム４１，４３が湾曲して、その先端部４１Ｄ，４３Ｄが縦溝２１２，２２２の終端面を滑りながら奥側に移動する。
【００６２】
また、図６（Ｆ）に示すように、レバー４の掛止片４２がストッパ２１に形成された横溝２１１の下面に当接し、レバー４の掛止片４４が、ストッパ２２に形成された横溝２２１の下面に当接する。
【００６３】
ユーザが押しボタン３を押下したときには、押しボタン３の突起部３Ｔが当接部４５Ａに当接し、ヒンジ４５の突起部４５Ｔがキートップ１１Ｋを押下する。
【００６４】
ここで、図６（Ｄ）、図７（Ａ）に示すように、当接部４５Ａから突起部４５Ｔまでの距離が短いので、仮に、レバー４にヒンジ４５とコの字状の溝４７を設けていない場合には、押しボタン３を押下したときのレバー４全体のたわみ量が小さくなる。そのため、ユーザが第１のプッシュスイッチ１１をオンさせるために２段スイッチ装置１の押しボタン３を押しても、レバー４はほとんど振動せず、キートップ１１Ｋを押したときのクリック感が押しボタン３に伝わりにくく、ユーザはクリック感をほとんど感じない。
【００６５】
これに対して、本発明のように、レバー４にコの字状の溝４７に囲まれたヒンジ４５を設けることで、押しボタン３を押下したときに、ヒンジ４５のたわみ量を大きくすることができる。これにより、ヒンジ４５の突起部４５Ｔがキートップ１１Ｋを押下すると、キートップ１１Ｋの振動が伝わってヒンジ４５が振動し、さらにヒンジ４５を押下している押しボタン３に振動が伝わって、押しボタン３が振動する。つまり、プッシュスイッチ１１のキートップ１１Ｋを押下したときのクリック感（振動）は、キートップ１１Ｋからヒンジ４５を介して押しボタン３に伝わる。したがって、ユーザは、第１のプッシュスイッチ１１をオンさせるために２段スイッチ装置１の押しボタン３を押すと、クリック感を感じることができ、第１のプッシュスイッチ１１をオンさせることができたことを感触で把握できる。
【００６６】
図７（Ａ）に示すように、ヒンジ４５は、押しボタン３が押下されたときには、押しボタン３の突起部３Ｔが当接する当接部４５Ａが力点、ヒンジ４５の接続部４５Ｎが支点、ヒンジ４５の突起部４５Ｔが作用点となる。つまり、ヒンジ４５が第三種てことして機能する。第三種てこは、力点よりも作用点の方が支点からの距離が長いので、力点に加えた力よりも弱い力が作用点に働く。そのため、押しボタンが強い力で押下されたとしても、その力よりも弱い力でプッシュスイッチのキートップを押下する。したがって、押しボタン３が押下されたときにレバー４を介してプッシュスイッチ１１のキートップ１１Ｋに加わる力を軽減でき、プッシュスイッチ１１の寿命を延ばすことができる。
【００６７】
図６（Ｇ）に示すように、押しボタン３がさらに第２の深さＤ２（＞Ｄ１）まで押下されると、押しボタン３の突起部３Ｔが引き続きレバー４の当接部４５Ａに当接する。レバー４は、プッシュスイッチ１１のキートップ１１Ｋを突起部４５Ｔで押下し、プッシュスイッチ１２のキートップ１２Ｋを突起部４６で押下する。
【００６８】
このとき、アーム４１，４３と掛止片４２，４４は、状態がほとんど変わらず、図６（Ｅ）と図６（Ｆ）に示した状態である。すなわち、掛止片４２は横溝２１１の下面に当接し、掛止片４４は横溝２２１の下面に当接しており、レバー４は、ストッパ２１，２２に保持されている。
【００６９】
図６（Ｇ）、図７（Ｂ）に示すように、当接部４５Ａから突起部４６までの距離は、当接部４５Ａから突起部４５Ｔまでの距離と比べて長く、押しボタン３を押下したときのレバー４全体のたわみ量も大きい。そのため、ユーザが第２のプッシュスイッチ１２をオンさせるために２段スイッチ装置１の押しボタン３を押したときには、レバー４は振動し、キートップ１２Ｋを押したときのクリック感が押しボタン３に伝わる。
【００７０】
このように、ユーザが押しボタン３をさらに押下したときには、プッシュスイッチ１２のキートップ１２Ｋを押下したときの振動（クリック感）がキートップ１２Ｋから突起部４６を介してヒンジ４５に伝わる。したがって、ユーザは、第２のプッシュスイッチ１２をオンさせるために２段スイッチ装置１の押しボタンをより強く押したときも、クリック感を感じることができ、第２のプッシュスイッチ１２をオンさせることができたことを感触で把握できる。
【００７１】
また、２段スイッチ装置１はこのような構成なので、押しボタン３が強い力で押下されても、プッシュスイッチ１１のキートップ１１Ｋやプッシュスイッチ１２のキートップ１２Ｋに加わる力を制限でき、プッシュスイッチ１１，１２の寿命を延ばすことができる。また、レバー４は、プリント基板１０にも当接していないので、押しボタン３が押下された際に、プリント基板１０に強い力が加わることが無い。
【００７２】
押しボタン３が第２の深さＤ２まで押下されたときには、図７（Ｂ）に示すように、掛止片４２のＬ字溝２１０との当接部と、掛止片４４のＬ字溝２２０との当接部と、を結ぶ直線４５Ｋを回動軸としてレバー４は回動する。このとき、ヒンジ４５の当接部４５Ａが力点となり、直線４５Ｋ上の点が支点となり、突起部４６が作用点となる。つまり、この場合もヒンジ４５が第三種てことして機能する。そのため、押しボタンが強い力で押下されたとしても、その力よりも弱い力でプッシュスイッチ１２のキートップ１２Ｋが押下される。したがって、押しボタンが押下された時にレバー４を介してプッシュスイッチのキートップに加わる力は軽減され、プッシュスイッチの寿命を延ばすことができる。
【００７３】
図７（Ｂ）に示したように、アーム４１（４３）に対する掛止片４２（４４）の位置関係が、レバー４の中心線ＣＬに対する突起部４６の位置関係と同様であり、レバー４の中心線ＣＬから外れた位置に突起部４６が形成されている。この構成では、図７（Ｃ）に示すようにレバー４の中心線ＣＬ上に突起部４６Ｂを設けた場合と比較して、第三種てこの支点から作用点までの距離を長くすることができる。すなわち、図７（Ｄ）に示すように、直線４５Ｋと突起部４６との距離Ｌ２は、直線４５Ｋと突起部４６Ｘとの距離Ｌ３よりも長くなる。そのため、押しボタンが押下されたときにプッシュスイッチ１２のキートップ１２Ｋが押下される力をより弱くすることができ、プッシュスイッチ１２の延命に寄与する。
【００７４】
なお、２段スイッチ装置１Ｂにおいて、押しボタン３Ｂを押し下げたときには、押しボタン３を押し下げたときと同様に動作する。そのため、説明は省略する。
【符号の説明】
【００７５】
１…２段スイッチ装置  １Ｂ…段スイッチ装置  ２…筐体  ３，３Ｂ…押しボタン  ４，４Ｂ…レバー  １０…プリント基板  １１，１１Ｂ，１２…プッシュスイッチ  １１Ｋ，１１ＢＫ，１２Ｋ…キートップ  ２１，２２，２１Ｂ，２２Ｂ…ストッパ  ４１，４１Ｂ，４３，４３Ｂ…アーム  ４２，４２Ｂ，４４，４４Ｂ…掛止片  ４５，４５Ｂ…ヒンジ
【図１】
2013045677.tif 000003
【図２】
2013045677.tif 000004
【図３】
2013045677.tif 000005
【図４】
2013045677.tif 000006
【図５】
2013045677.tif 000007
【図６】
2013045677.tif 000008
【図７】
2013045677.tif 000009